(57)【特許請求の範囲】
【請求項１】
往信葉書部と返信葉書部とが折り畳み部を介して横方向に連接されてなる往復葉書であって、
前記往信葉書部の上側に、表面に自己発色剤と再剥離再貼付可能な粘着剤とが混じり合ってなる再剥離再貼付可能な粘着剤層が形成され、前記複写用紙の粘着剤層上に、宛名記入用紙が剥離可能に貼付されていることを特徴とする往復葉書。
【請求項２】
前記往信葉書部の表面には、郵便往復はがきの文字が表示され、前記宛名記入用紙は、前記往信葉書部の表面に表示された前記郵便往復はがきの文字を外部から目視可能とする孔部が設けられていることを特徴とする請求項１記載の往復葉書。
【請求項３】
前記孔部が、前記往信葉書部の表面に表示された前記郵便往復はがきの各々の文字毎に対応させて複数個設けられていることを特徴とする請求項２記載の往復葉書。
【発明の詳細な説明】
【技術分野】
【０００１】
本発明は、往信葉書部と返信葉書部とが折り畳み部を介して横方向に連接してなる往復葉書であって、返信葉書部を使用する際に返信葉書の記入事項を隠蔽状態として返信できるようにした往復葉書に関する。
【背景技術】
【０００２】
従来、往信葉書部と返信葉書部が連接されている往復葉書において、その往復葉書の受取人が返信葉書部を切り取って返信葉書として郵送する際に、葉書に記入された個人情報などが第三者に盗み見られて悪用されることを防止するために、それらの記入事項を隠蔽状態にして返信するための隠蔽用シールが利用されている。
【０００３】
これらの隠蔽用シールは、往復葉書の往信時における個人情報の漏洩を防止するために、往信時に往信葉書部や返信葉書部に記入やプリントされている個人情報記載部上に、隠蔽用シールを貼付させて隠蔽状態として、往復葉書の郵送を行う場合と、更に、往復はがきを利用した返信時において、個人情報記載部を隠蔽状態とするための隠蔽用シールを予め往復葉書に剥離可能な状態で貼付させておくなど、様々な仕様のものがある。
【０００４】
また、往復葉書の利用者の利便性を考慮して、往復葉書の一部に予め隠蔽用シールを貼付した構成の往復葉書も既に提案されている。（例えば、特許文献１参照）
そして、往復葉書の受取人が往復葉書の返信葉書部を切り取って返信する際には、返信葉書部の裏面に送り主の住所や氏名を記入し、更に必要事項を記入するなどして、それらの記入領域上に隠蔽シールを貼付させて郵送させている。
また、往復葉書を郵送する際に返信葉書部の裏面に、予め受取人の住所や氏名などをプリントさせた状態で送る場合もあるが、上記のいずれの場合でも、返信葉書部の裏面に返信葉書の送り主の住所や氏名などの宛先情報を記載させるための領域を設けておく必要がある。
【０００５】
【特許文献１】特開２００５−１９９５１８号公報
【０００６】
しかしながら、往復葉書の返信葉書部に、返信葉書の送り主の住所や氏名などの宛先情報を記載させるための宛先情報領域を設けることは、その領域の分だけ伝達情報などの他の情報を記入する領域が狭くなることになり、返信葉書部による伝達情報の量が少なくなってしまうという問題がある。
【発明の開示】
【発明が解決しようとする課題】
【０００７】
そこで、本発明は、往復葉書の返信葉書部に、その返信葉書の送り主の住所や氏名などの宛先情報を記載させるための宛先情報領域を設けなくても、返信葉書に貼付させた情報隠蔽用紙に宛先情報を記載させて郵送することができるようにして、返信葉書部に記載する伝達情報の量を広く設けることができ、宛先情報の記載で返信葉書部の伝達情報の量が少なくなることがないようにした往復葉書を提供する。
【課題を解決するための手段】
【０００８】
本発明の往復葉書は、往信葉書部と返信葉書部とが折り畳み部を介して横方向に連接されてなる往復葉書であって、前記往信葉書部の上側に、表面に自己発色剤と再剥離再貼付可能な粘着剤とが混じり合ってなる再剥離再貼付可能な粘着剤層が形成され、前記複写用紙の粘着剤層上に、宛名記入用紙が剥離可能に貼付されていることを特徴とする。
【０００９】
また、本発明の往復葉書は、前記往信葉書部の表面には、郵便往復はがきの文字が表示され、前記宛名記入用紙は、前記往信葉書部の表面に表示された前記郵便往復はがきの文字を外部から目視可能とする孔部が設けられていることを特徴とする。
【００１０】
更に、本発明の往復葉書は、前記孔部が、前記往信葉書部の表面に表示された前記郵便往復はがきの各々の文字毎に対応させて複数個設けられていることを特徴とする。
【発明の効果】
【００１１】
本発明の往復葉書は、往信葉書部の上面に重ねられた宛名記入用紙に宛先情報を記入することで宛先情報が往信葉書部に複写され、更に宛先情報が表示された部分に返信葉書部の裏面を重ねることで、返信葉書部の記載情報を隠蔽させることができるので、返信情報の漏洩の防止を図ることができ、更に返信葉書部に返信葉書の送り人の宛先情報を記載する領域を設ける必要もなく、したがって、返信葉書部に伝達情報の記載領域を広く設けることができ、返信葉書部による伝達情報の量を多くすることができるという効果がある。
【００１２】
また、本発明の往復葉書は、往信葉書部上に貼付された宛名記入用紙に、往信葉書部の表面に表示された郵便往復はがきの文字を外部から目視可能とする複数の孔部が設けられているので、往信葉書部をはがきの本体として用いることができ、往信葉書部上に貼付された宛名記入用紙をはがき本体上に貼付された用紙として郵便法上扱うことができ、郵便法上も適正な往復葉書として使用することができるという効果がある。
【００１３】
また、本発明の往復葉書は、宛名記入用紙に設けられた孔部が、往信葉書部の表面に表示された郵便往復はがきの各々の文字毎に対応させて複数個設けられているので、往信葉書部の上面に設けられている再剥離再貼付可能な粘着剤に対して宛名記入用紙をしっかりと貼付させることができるという効果がある。
【発明を実施するための最良の形態】
【００１４】
以下、本発明の実施形態に係る往復葉書について、図面に基づいて詳細に説明する。
図１は、本発明の実施形態に係る往復葉書の表面側から見た状態を示す斜視図、図２は、図１のＡ−Ａ線断面図、図３は、本発明の実施形態に係る往復葉書であって、返信葉書の表面側から見た状態を示す斜視図、図４は、本発明の実施形態に係る往復葉書であって、宛先情報や伝達情報を記載した場合における往信葉書部の表面側から見た状態を示す斜視図、図５は、図４に示す状態から往信葉書部上に貼付された用紙を剥離させた状態を示す斜視図、図６は、本発明の実施形態に係る往復葉書に関して、往信葉書部の表面上に返信葉書部の裏面に重ねて、返信葉書部の記載情報を隠蔽させた状態を示す斜視図、図７は、図６のＢ−Ｂ線断面図である。
【００１５】
本発明の実施形態に係る往復葉書１は、横方向に対してその中央に設けられた折り畳み部４を介して横方向に往信葉書部２ａと返信葉書部２ｂとを有する葉書本体用紙２と、葉書本体用紙２の往信葉書部２ａの上側に順次に重ねられた宛名記入用紙３を備えている。
葉書本体用紙２の往信葉書部２ａと返信葉書部２ｂとは、それぞれ郵便法の規格で定められた葉書寸法及び厚みを有している。
また、宛名記入用紙３は、重ねられている往信葉書部２ａと略同じ寸法を有している。
【００１６】
往信葉書部２ａには、その表面の左端側に「郵便往復はがき」の文字が印刷されている。
また、宛名記入用紙３の上端側には、「郵便往復はがき（往信）」の文字も印刷されている。
そして、宛名記入用紙３には、往信葉書部２ａの表面の左端側に印刷されている「郵便往復はがき」の文字が、外部から目視可能な状態とするための孔部５が設けられている。
この孔部５の形状は、円形、楕円形、四角形、三角形などの所望の形状を用いることができる。
【００１７】
また、孔部５は、往信葉書部２ａの表面の左端側に印刷されている「郵便往復はがき」の全体を外部から目視できる状態に設けられており、この「郵便往復はがき」の各々の文字毎に対応させて複数個設けることが好ましい。
孔部５を「郵便往復はがき」の表示の全体が見えるように形成させてもよいが、「郵便往復はがき」の各々の文字毎に対応させて孔部５を複数個設けることで、宛名記入用紙３を往信葉書部２ａの上面に設けられている再剥離再貼付可能な粘着剤層６に対してしっかりと貼付させることができる。
【００１８】
また、往復葉書１の往信葉書部２ａの上面には、自己発色剤と再剥離再貼付可能な粘着剤とが混じり合ってなる再剥離再貼付可能な粘着剤層層６が形成され、この再剥離再貼付可能な粘着剤層６により宛名記入用紙３が往信葉書部２ａの上面に貼付されている。
この自己発色剤と再剥離再貼付可能な粘着剤とが混じり合ってなる再剥離再貼付可能な粘着剤層６は、マイクロカプセルに包含された発色剤と、顕色剤と、再剥離再貼付可能な粘着剤とが混合された状態で塗布されており、記入時の加圧によりマイクロカプセルが破壊されて発色剤と顕色剤が触れ合うことで自己発色する公知の発色技術を用いるものである。
これにより、宛名記入用紙３の表面の宛先情報記載領域８に住所や名前などの宛先情報を記入したり、プリント印字させた場合に、それらの宛先情報が自己発色剤により往信葉書部２ａの表面に複写されるように構成されている。
【００１９】
また、往信葉書部２ａの上側に重ねられている宛名記入用紙３は、再剥離再貼付可能な粘着により剥離可能な状態で貼付されている。
したがって、宛名記入用紙３を剥離させた場合には、再剥離再貼付可能な粘着剤層６が露出されて、この再剥離再貼付可能な粘着剤層６の上に、折り畳み部４から折り畳んだ返信葉書部２ｂを重ね合わせることで貼付できるように構成されている。
【００２０】
また、図３に示すように、返信葉書部２ｂの表面の上端側には、「郵便往復はがき（返信）」の文字が印刷され、返信葉書部２ｂが郵便往復はがきによる返信葉書であることがわかるように表示されている。
また、返信葉書部２ｂの葉書表面には、予め宛先情報１１を印刷しておくことで、往復葉書１の受取人が返信葉書部２ｂを使用する際に、いちいち宛先情報を記入しなくてもすむようにしてある。
【００２１】
次に、図４乃至図７に基づいて、本発明の実施形態に係る往復葉書１の使用方法について説明する。
まず、往復葉書１の差出人は、往信葉書部２ａの上側に重ねられている宛名記入用紙３宛先情報記載領域８に受取人の住所、氏名などの宛先情報９を記入したり、プリント印字などで記載する。
また、往信葉書部２ａの裏面側に所望の伝達情報を記入したり、プリント印字などで記載する。
そして、宛先情報９が表示された宛名記入用紙３が上側となるように、折り畳み部４から返信葉書部２ｂを折り込んだ状態にして、往復葉書１を郵便ポストに投函して郵送する。
【００２２】
その後、往復葉書１の受取人は、往復葉書１の往信葉書部２ａの裏面側に記載された伝達情報を読んだ後に、その往復葉書１の返信葉書部２ｂを用いて返信を行う場合に、図５に示すように、返信葉書部２ｂに伝達情報１０を記入する。
そして、往復葉書１の往信葉書部２ａ上に貼付されている宛名記入用紙３を指で摘んで剥離させる。
宛名記入用紙３を指で摘んで剥離させた際に、宛名記入用紙３の宛先情報記載領域８に記入やプリント印字で記載された宛先情報９が、自己発色剤により往信葉書部２ａ上に複写された宛先情報９ａが表示されているのが見える。
【００２３】
次に往復葉書１の受取人は、折り畳み部４から返信葉書部２ｂを折り畳んで、往信葉書部２ａ上に重ね合わせて、往信葉書部２ａ上に設けられた再剥離再貼付可能な粘着剤層６に対して押し付けることで、図６に示すように、往信葉書部２ａ上に返信葉書部２ｂを剥離可能な状態で貼付させる。
【００２４】
そして、往信葉書部２ａ上に返信葉書部２ｂを剥離可能な状態で貼付させることで、返信葉書部を返信葉書としてポストに投函させて返信する。
したがって、この返信葉書は、往信葉書部２ａの表面に返信葉書の差出人の宛先情報が複写されて表示されているので、返信葉書部２ｂの葉書裏面には差出人の宛先情報を記入する必要がなく、伝達情報だけの記入を行えるようになっている。
【００２５】
その後、返信葉書の受取人は、再剥離再貼付可能な粘着剤層６により剥離可能な状態で粘着されている往信葉書部２ａと返信葉書部２ｂとを剥離させることで、返信葉書部２ｂの葉書裏面に記載されている伝達情報を見ることで伝達内容を確認することができ、更に、往信葉書部２ａの表面に複写されて記載されている宛先情報９ａを見ることで、その返信葉書の送り主が誰であるかの確認をすることができる。
【００２６】
したがって、本発明の実施形態に係る往復葉書１は、返信葉書部２ｂの葉書裏面が、その全面を伝達情報の記載領域として用いることができるようになっているので、沢山の情報を記載して伝達を行えるようにしてある。
【図面の簡単な説明】
【００２７】
【図１】本発明の実施形態に係る往復葉書の表面側から見た状態を示す斜視図である。
【図２】図１のＡ−Ａ線断面図である。
【図３】本発明の実施形態に係る往復葉書であって、返信葉書の表面側から見た状態を示す斜視図である。
【図４】本発明の実施形態に係る往復葉書であって、宛先情報や伝達情報を記載した場合における往信葉書部の表面側から見た状態を示す斜視図である。
【図５】図４に示す状態から往信葉書部上に貼付された用紙を剥離させた状態を示す斜視図である。
【図６】本発明の実施形態に係る往復葉書に関して、往信葉書部の表面上に返信葉書部の裏面に重ねて、返信葉書部の記載情報を隠蔽させた状態を示す斜視図である。
【図７】図６のＢ−Ｂ線断面図である。
【符号の説明】
【００２８】
１  往復葉書
２  葉書本体用紙
２ａ  往信葉書部
２ｂ  返信葉書部
４  折り畳み部
５  孔部
６  再剥離再貼付可能な粘着剤層
８  宛先情報記載領域
９，１１  宛先情報
９ａ  複写された宛先情報
１０  伝達情報
【図１】
0004770559.tif 000002
【図２】
0004770559.tif 000003
【図３】
0004770559.tif 000004
【図４】
0004770559.tif 000005
【図５】
0004770559.tif 000006
【図６】
0004770559.tif 000007
【図７】
0004770559.tif 000008